(57)【要約】【課題】個別の機械スイッチタイプから調理器との連動機能も備えたタイプに、容易に変更可能なレンジフードを提供することを目的とする。【解決手段】送風機ユニット２と、送風機ユニット２への通電、断電等の切り替えを行なう機械スイッチ部３とを設けたレンジフードにおいて、機械スイッチ部３と送風機ユニット２との間に、機械スイッチ部３の操作を判断するスイッチ検出手段６と、スイッチ検出手段６からの信号を調理器１０に送信する送信部７と、調理器１０からの信号を受信する受信部８と、スイッチ検出手段６、受信部８、送信部７の処理を行うＩＣ部９とをユニット化した電子回路ユニット５を接続自在としたことにより、調理器１０との連動機能を簡単に追加できることとなる。【選択図】図４
2009299917.tif 000002
【特許請求の範囲】
【請求項１】
調理器の上方または周囲に設置され、調理時に発生する油煙を排気する送風機ユニットと、前記送風機ユニットへの通電、断電および速度調整の操作を行なうスイッチ部とを設けたレンジフードであって、前記スイッチ部と前記送風機ユニットとの間に、前記スイッチ部の操作を判断するスイッチ検出手段と、前記スイッチ検出手段からの信号を調理器に送信する送信部と、前記調理器からの信号を受信する受信部と、前記スイッチ検出手段、前記受信部および前記送信部の処理を行うＩＣ部とをユニット化した電子回路ユニットを接続自在としたことを特徴としたレンジフード。
【請求項２】
電子回路ユニットに、レンジフードの室外に連通した排気部を遮断、開放する排気シャッターを制御する排気シャッター駆動制御手段と、前記レンジフードの外気を室内に給気する給気部を遮断、開放する給気シャッターを制御する給気シャッター駆動制御手段とを搭載した請求項１記載のレンジフード。
【請求項３】
電子回路ユニットに、レンジフードを遠隔操作するリモコンの信号を受信するリモコン受信部を搭載した請求項１記載のレンジフード。
【請求項４】
電子回路ユニットに、調理器から発生する燃焼ガスを検知するガス検知手段を設けた請求項１記載のレンジフード。
【請求項５】
電子回路ユニットに、調理器から発生する熱を検知する熱検知手段を設けた請求項１記載のレンジフード。
【発明の詳細な説明】
【技術分野】
【０００１】
本発明は、調理器の上方または周囲に設置され、調理時に発生する油煙を捕集して排気するレンジフードに関するものである。
【背景技術】
【０００２】
従来より、レンジフードは一般的に、レンジフード本体に、油煙を排気する送風機の駆動および停止の操作を行うスイッチ部を設けている（例えば、特許分献１参照）。
【０００３】
そのレンジフードは、図９に示すように、送風機ユニット１０１を内蔵したフード本体１０２の前面に、送風機ユニット１０１の駆動、停止および速度調整の操作を行うスイッチ部１０３を設け、このスイッチ部１０３によって、レンジフードの運転、停止および風量調整を行っている。
【特許文献１】特開平９−２６９１４３号公報（段落００１９、図２）
【発明の開示】
【発明が解決しようとする課題】
【０００４】
例えば、エンドユーザーが調理器の買い替え時、レンジフードとの送受信が可能なものを購入しても、このような従来のレンジフードでは、スイッチ部１０３が、送風機ユニット１０１への通電、断電を機械的に行っており、調理器との連動に対応していないため、調理器連動を実施する場合は、レンジフードも買い替える必要があり、また製造面においても、機械式スイッチタイプと、調理器との連動が可能な制御回路を有した電子スイッチタイプとで、部品が異なり、その組立て方法も変わって、管理項目が増え、また、レンジフード本体１０２の前面の意匠が変わるという課題があった。
【０００５】
本発明は、このような従来の課題を解決するものであり、調理器の入れ替え時等に、個別の機械式スイッチタイプから調理器との連動機能も備えたタイプに、容易に変更可能なレンジフードを提供することを目的としている。
【課題を解決するための手段】
【０００６】
本発明のレンジフードは上記目的を達成するために、調理器の上方または周囲に設置され、調理時に発生する油煙を排気する送風機ユニットと、前記送風機ユニットへの通電、断電および速度調整の操作を行なうスイッチ部とを設けたレンジフードであって、前記スイッチ部と前記送風機ユニットとの間に、前記スイッチ部の操作を判断するスイッチ検出手段と、前記スイッチ検出手段からの信号を調理器に送信する送信部と、前記調理器からの信号を受信する受信部と、前記スイッチ検出手段、前記受信部および前記送信部の処理を行うＩＣ部とをユニット化した電子回路ユニットを接続自在としたものである。
【０００７】
また、他の手段は、電子回路ユニットに、レンジフードの室外に連通した排気部を遮断、開放する排気シャッターを制御する排気シャッター駆動制御手段と、前記レンジフードの外気を室内に給気する給気部を遮断、開放する給気シャッターを制御する給気シャッター駆動制御手段とを搭載したものである。
【０００８】
また、他の手段は、電子回路ユニットに、レンジフードを遠隔操作するリモコンの信号を受信するリモコン受信部を搭載したものである。
【０００９】
また、他の手段は、電子回路ユニットに、調理器から発生する燃焼ガスを検知するガス検知手段を設けたものである。
【００１０】
また、他の手段は、電子回路ユニットに、調理器から発生する熱を検知する熱検知手段を設けたものである。
【発明の効果】
【００１１】
本発明によれば、機械スイッチタイプに調理器連動の機能を追加することがいつでも簡単にできるレンジフードを提供できる。
【００１２】
また、排気シャッター、給気シャッターの駆動を制御する機能、レンジフードをリモコンで操作する機能、調理器から発生する燃焼ガスを検知してレンジフードを駆動制御する機能および調理器から発生する熱を検知してレンジフードを駆動制御する機能のいずれも、いつでも簡単に追加できることとなる。
【発明を実施するための最良の形態】
【００１３】
本発明の請求項１記載のレンジフードは、調理時に発生する油煙を排気する送風機ユニットと、前記送風機ユニットへの通電、断電および速度調整の操作を行なうスイッチ部とを設けたレンジフードであって、前記スイッチ部と前記送風機ユニットとの間に、前記スイッチ部の操作を判断するスイッチ検出手段と、前記スイッチ検出手段からの信号を調理器に送信する送信部と、前記調理器からの信号を受信する受信部と、前記スイッチ検出手段、前記受信部および前記送信部の処理を行うＩＣ部とをユニット化した電子回路ユニットを接続自在としたものであり、スイッチ部と送風機ユニットの間に電子回路ユニットを接続することにより、調理器に連動してレンジフードの駆動制御が可能になるという作用を有する。
【００１４】
本発明の請求項２に記載のレンジフードは、請求項１に記載のレンジフードついて、電子回路ユニットに、レンジフードの室外に連通した排気部を遮断、開放する排気シャッターを制御する排気シャッター駆動制御手段と、前記レンジフードの外気を室内に給気する給気部を遮断、開放する給気シャッターを制御する給気シャッター駆動制御手段とを搭載したものであり、レンジフードの駆動時に、レンジフード側で排気シャッター、給気シャッターの駆動制御が可能になる。
【００１５】
本発明の請求項３に記載のレンジフードは、請求項１に記載のレンジフードついて、電子回路ユニットに、レンジフードを遠隔操作するリモコンの信号を受信するリモコン受信部を搭載したものであり、リモコンでの操作でもレンジフードの運転操作が可能になる。
【００１６】
本発明の請求項４に記載のレンジフードは、請求項１に記載のレンジフードついて、電子回路ユニットに、調理器から発生する燃焼ガスを検知するガス検知手段を設けたものであり、調理器から発生する燃焼ガスを検知し、レンジフードの運転を制御することが可能になる。
【００１７】
本発明の請求項５に記載のレンジフードは、請求項１に記載のレンジフードついて、電子回路ユニットに、調理器から発生する熱を検知する熱検知手段を設けたものであり、調理器から発生する熱を検知し、レンジフードの運転を制御することが可能になる。
【００１８】
以下、本発明の実施の形態について、図１〜図８面を参照しながら説明する。
【００１９】
（実施の形態１）
図１に示すように、調理器１０の上方にレンジフード本体１が設置され、レンジフード本体１は、調理器１０から発生する油煙を排気する送風機ユニット２と、送風機ユニット２への通電、断電および速度調整の切り替えを行うスイッチ部である機械スイッチ部３を有している。
【００２０】
図２に示すように、機械スイッチ部３と送風機ユニット２とは、それぞれに設けられた接続部４Ａ、４Ｂを介して接続されている。接続部４Ａ、４Ｂは、その間に次に説明する電子回路ユニット５を自在に接続する構成となっている。
【００２１】
図３に示すように、電子回路ユニット５は、機械スイッチ部３の操作を判断するスイッチ検出手段６と、スイッチ検出手段６の信号を調理器１０に送信する送信部７と、調理器１０からの信号を受信する受信部８と、スイッチ検出手段６、送信部７、受信部８の処理を行うＩＣ部９とからなり、機械スイッチ部３の接続部４Ａと接続する接続部４Ｃと、送風機ユニット２の接続部４Ｂと接続する接続部４Ｄとを備えている。
【００２２】
上記構成において、機械スイッチ部３で運転操作しているレンジフード本体１に、図４に示すように、電子回路ユニット５を接続することにより、電子回路ユニット５に電源が通電され、電子回路ユニット５のＩＣ部９の処理が可能な状態となり、調理器１０がレンジフード本体１との信号の送受信が可能な場合、調理器１０からの信号を電子回路ユニット５の受信部８が検知し、ＩＣ部９にてレンジフード本体１の送風機ユニット２を駆動制御する。
【００２３】
さらに、機械スイッチ部３のスイッチ操作をスイッチ検出手段６が読み取り、ＩＣ部９はスイッチ検出手段６からの信号により送信部７に信号を送り、送信部７から調理器１０にレンジフード本体１が駆動している情報を送る。
【００２４】
このように本実施の形態１のレンジフードによれば、電子回路ユニット５を後から機械スイッチ部３と送風機ユニット２との間に接続するだけで、レンジフード本体１と調理器１０の信号の送受信を行い、調理器１０とレンジフード本体１の連動が可能となる。
【００２５】
（実施の形態２）
本発明の実施の形態２のレンジフードは、上記実施の形態１のレンジフードに対し、図５に示すように、電子回路ユニット５Ａに、レンジフード本体１の室外に連通した排気部（図示せず）を遮断、開放する排気シャッター（図示せず）を制御する排気シャッター駆動制御手段１１と、レンジフード本体１の外気を室内に給気する給気部（図示せず）を遮断、開放する給気シャッター（図示せず）を制御する給気シャッター駆動制御手段１２とを搭載した点に特徴がある。
【００２６】
上記構成において、調理器１０や機械スイッチ部３からの信号により、ＩＣ部９が排気シャッター駆動制御手段１１あるいは給気シャッター駆動制御手段１２に信号を送り、排気シャッターと給気シャッターを個別に駆動させることができる。たとえば、風量の小さい常時換気機能を搭載しているレンジフードの場合、排気シャッタ−のみ開放して、給気シャッタ−は閉鎖するようにしたり、排気シャッターを先に駆動して、給気シャッターを後から駆動するといった遅延駆動も可能となる。
【００２７】
（実施の形態３）
本発明の実施の形態３のレンジフードは、上記実施の形態１のレンジフードに対し、図６に示すように、電子回路ユニット５Ｂに、受信部としてレンジフードの遠隔操作が可能なリモコン１３の信号を受信するリモコン受信部１４を搭載した点に特徴がある。
【００２８】
上記構成において、レンジフードをリモコン１３により遠隔操作して信号がくると、リモコン受信部１４が受信してＩＣ部９に信号を送り、ＩＣ部９はレンジフード本体１の送風機ユニット２を制御し、リモコン１３でのレンジフードの運転操作が可能となる。
【００２９】
（実施の形態４）
本発明の実施の形態４のレンジフードは、図７に示すように、電子回路ユニット５Ｃに、上記実施の形態１のレンジフードの受信部８に替えて、調理器１０から発生する燃焼ガスを検知するガス検知手段１５を設けた点に特徴がある。
【００３０】
上記構成において、ガスタイプの調理器１０を駆動した時、調理器１０から発生する燃焼ガスをガス検知手段１５が検知して、ＩＣ部９に信号を送り、ＩＣ部９はレンジフード本体１の送風機ユニット２を制御し、ガスタイプの調理器１０との連動運転が可能となる。
【００３１】
（実施の形態５）
本発明の実施の形態５のレンジフードは、図８に示すように、電子回路ユニット５Ｄに、上記実施の形態１のレンジフードの受信部８に替えて、調理器１０から発生する熱を検知する熱検知手段１６を設けた点に特徴がある。
【００３２】
上記構成において、ガスタイプあるいはＩＨタイプの調理器１０を駆動した時、調理器１０から発生する熱を熱検知手段１６が検知して、ＩＣ部９に信号を送り、ＩＣ部９はレンジフード本体１の送風機ユニット２を制御し、ガスタイプ、ＩＨタイプのいずれの調理器１０との連動運転も可能となる。
【産業上の利用可能性】
【００３３】
以上のように、機械スイッチタイプのレンジフードに、別ユニットで用意された電子回路ユニットを接続することにより、いつでも簡単に機能追加できるので、機械スイッチを用いて駆動操作している産業機器の機能アップの用途にも適用できる。
【図面の簡単な説明】
【００３４】
【図１】本発明の実施の形態１のレンジフードの設置状況図
【図２】同レンジフードの機械スイッチ部と送風機ユニットのブロック図
【図３】同レンジフードの電子回路ユニットを示すブロック図
【図４】同電子回路ユニットを機械スイッチ部と送風機ユニットとの間に接続したブロック図
【図５】本発明の実施の形態２のレンジフードの電子回路ユニットを示すブロック図
【図６】本発明の実施の形態３のレンジフードの電子回路ユニットを示すブロック図
【図７】本発明の実施の形態４のレンジフードの電子回路ユニットを示すブロック図
【図８】本発明の実施の形態５のレンジフードの電子回路ユニットを示すブロック図
【図９】従来のレンジフードの設置図
【符号の説明】
【００３５】
２    送風機ユニット
３    機械スイッチ部
５    電子回路ユニット
５Ａ  電子回路ユニット
５Ｂ  電子回路ユニット
５Ｃ  電子回路ユニット
５Ｄ  電子回路ユニット
６    スイッチ検出手段
７    送信部
８    受信部
９    ＩＣ部
１０  調理器
１１  排気シャッター駆動制御手段
１２  給気シャッター駆動制御手段
１３  リモコン
１４  リモコン受信部
１５  ガス検知手段
１６  熱検知手段
【図１】
2009299917.tif 000003
【図２】
2009299917.tif 000004
【図３】
2009299917.tif 000005
【図４】
2009299917.tif 000006
【図５】
2009299917.tif 000007
【図６】
2009299917.tif 000008
【図７】
2009299917.tif 000009
【図８】
2009299917.tif 000010
【図９】
2009299917.tif 000011